(57)【要約】      （修正有）【課題】ベルトの長さが調節可能なピン止め型バックルにおいて、ベース部材と枠体を一体化して部品点数を減らし、コストダウンを図ったベルト用バックルを提供する。【解決手段】基板１はベルト固定部２とベルト挿通開口３を有し、ベルト固定部は両側縁に一対の垂直壁４ａ、４ｂを有する。係止部材５が、一端５ａにおいて一対の垂直壁間に基板の幅方向にのびる軸のまわりに旋回可能に取り付けられ、一端５ａに係止歯６が設けられ、係止歯がベルト固定部と協働してベルトの基端を挟持する。係止部材の他端５ｂには、止めピン９が、その一端において係止部材に対し係止部材の幅方向にのびる軸のまわりに旋回可能に取り付けられる。止めピンは、係止部材がベルトの基端を挟持する位置にあるとき、係止部材からベルト挿通開口を横切って基板の他端１ｂまでのび、ベルト挿通開口に通されたベルトの先端部の止め穴に挿入され得る。【選択図】図２
0003194709.tif 000002
【実用新案登録請求の範囲】
【請求項１】
長さ方向の一端側にベルト固定部が設けられ、他端側にはベルト挿通開口が設けられた基板を備え、前記基板の前記ベルト固定部の両側縁に一対の垂直壁が設けられており、さらに、
前記基板のベルト固定部に対応する長さおよび幅を有する板状をなし、前記基板の前記一対の垂直壁間に嵌め込まれ、かつ前記ベルト固定部から間隔をあけた状態で、前記ベルト挿通開口から遠い方の端において、前記垂直壁に対し前記基板の幅方向にのびる軸のまわりに、前記一対の垂直壁間の間隙を包囲する閉じた位置と、前記一対の垂直壁間の間隙を開放する開いた位置との間で旋回可能に取り付けられた係止部材を備え、
前記係止部材の前記ベルト挿通開口から遠い方の端に、その端縁に沿って係止歯が設けられ、前記係止部材が前記開いた位置にあるとき、前記係止歯は前記基板の前記ベルト固定部に対してほぼ平行になりまたは前記ベルト固定部から逸れる向きにのび、それによって、ベルトの基端が前記基板の前記一端側から前記一対の垂直壁に沿って前記ベルト固定部に挿入可能とされる一方、前記係止部材が前記閉じた位置にあるときは、前記係止歯は前記基板の前記ベルト固定部に向かってのびて前記ベルトの基端に食い込み、それによって、前記ベルトの基端が前記係止部材および前記ベルト固定部間に挟持され、
前記係止部材の前記ベルト挿通開口に近い方の端には、止めピンが、その一端において前記係止部材に対し前記係止部材の幅方向にのびる軸のまわりに旋回可能に取り付けられ、前記止めピンは、前記係止部材が前記閉じた位置にあるとき、前記係止部材から前記基板の長さ方向に前記ベルト挿通開口を横切って前記基板の他端に達する長さを有しているとともに、前記基板の前記ベルト挿通開口に通された前記ベルトの先端部の止め穴に前記止めピンが挿入可能とされたものであることを特徴とするベルト用バックル。
【請求項２】
前記止めピンは、
細長いピン本体と、
前記ピン本体の基端から前記ピン本体の中心軸に対し垂直にかつ互いに反対向きに突出する一対の旋回軸と、
前記ピン本体における前記旋回軸から前記ピン本体の長手方向に前記係止部材の厚みに対応する距離を隔てた位置に、前記一対の旋回軸のそれぞれに対向して設けられた一対の脱落防止突起と、からなり、
前記係止部材の前記ベルト挿通開口に近い方の端は、その全長にわたって前記係止部材の長さ方向に前記基板に対向する面側に鉤状または筒状に湾曲し、この湾曲部分の内側には前記係止部材の幅方向にのびる空間が形成され、前記湾曲部分の周壁にはガイドスリットが設けられて周方向にのび、前記ガイドスリットは前記ピン本体の前記旋回軸および前記脱落防止突起間の部分に対応する幅を有していて、前記止めピンの前記旋回軸が前記湾曲部分の前記空間内に軸まわりに旋回可能に保持され、前記ピン本体が前記ガイドスリットから突出し、前記ガイドスリットは前記止めピンの旋回運動の範囲内にのび、前記脱落防止突起が前記湾曲部分の外面側において前記ピン本体から前記ガイドスリットを越えて突出していることを特徴とする請求項１に記載のベルト用バックル。
【請求項３】
前記止めピンは、
細長いピン本体と、
前記ピン本体の基端に設けられ、挿通穴を備えた取付部と、からなり、
前記止めピンの前記挿通穴の中心における法線が前記ピン本体の軸を横切ってのび、前記係止部材は、前記ベルト挿通開口に近い方の端に前記係止部材の長さ方向に突出する延長部を有し、前記延長部は前記止めピンの前記挿通穴に対応する一定の幅を有しており、前記延長部が、前記止めピンの前記挿通穴に挿通された状態で、その長さ方向に前記基板に対向する面側に鉤状または筒状に湾曲していることを特徴とする請求項１に記載のベルト用バックル。
【請求項４】
前記係止部材の前記ベルト挿通開口から遠い方の端は、その全長にわたって前記係止部材の長さ方向に前記基板に対向する面側にほぼ直角に屈曲するとともに、先端縁が鋸歯状に形成され、この屈曲部が前記係止歯をなしていることを特徴とする請求項２または請求項３に記載のベルト用バックル。
【請求項５】
前記係止部材は、前記屈曲部の基端の両側縁に一対の支持突起を有し、前記一対の支持突起は前記係止部材の幅方向に一直線上に並んで配置され、前記基板の前記一対の垂直壁における前記ベルト挿通開口から遠い方の端にはそれぞれ前記基板の幅方向に整合する位置に差込穴が形成され、前記係止部材は、前記支持突起が対応する前記差込穴に差し込まれることによって、前記基板の前記垂直壁に対し前記支持突起の軸のまわりに旋回可能に取り付けられていることを特徴とする請求項４に記載のベルト用バックル。
【考案の詳細な説明】
【技術分野】
【０００１】
本考案は、ベルト用バックル、特に、ベルトの長さが調節可能なピン止め型バックルに関するものである。
【背景技術】
【０００２】
ピン止め型バックルは、ベルトを身体の腰部等の装着対象に巻きつけ、ベルトの先端部の止め穴にバックルの止めピンを挿入することでベルトを装着対象に締め付け固定する形式のバックルであり、このピン止め型バックルの中には、ベルトの長さが調節可能なものがある。
【０００３】
そして、従来のベルトの長さが調節可能なピン止め型バックルの多くは、断面がコ字状のベース部材の側壁間に、これと協働してベルト基端を挟持する係止片が旋回可能に取り付けられたものからなるベルト基端固定部と、矩形状の枠体の一側部に、ベルト先端部の止め穴に挿入可能な止めピンが、その一端において当該側部の軸まわりに旋回可能に取り付けられたものからなるベルト先端係止部とが、中間ベルトによって連結された構成を備えている。
【０００４】
しかしながら、この従来のピン止め型バックルは、部品点数が多く、組み立ても容易ではないことから、製造コストがかさむという欠点を有していた。そのため、この従来のピン止め型バックルから連結ベルトを省略し、ベルト基端固定部のベース部材にベルト先端係止部の枠体を直接連結することが、また従来技術において提案されているが（例えば、特許文献１参照）、これによっても、部品点数および製造コストの削減は十分に達成されているとは言えない。
【先行技術文献】
【特許文献】
【０００５】
【特許文献１】登録実用新案第３０９７４３８号公報
【考案の概要】
【考案が解決しようとする課題】
【０００６】
したがって、本考案の課題は、ベルトの長さが調節可能なピン止め型バックルの部品点数を減らして、コストダウンを図ることにある。
【課題を解決するための手段】
【０００７】
上記課題を解決するため、本考案は、長さ方向の一端側にベルト固定部が設けられ、他端側にはベルト挿通開口が設けられた基板を備え、前記基板の前記ベルト固定部の両側縁に一対の垂直壁が設けられており、さらに、前記基板のベルト固定部に対応する長さおよび幅を有する板状をなし、前記基板の前記一対の垂直壁間に嵌め込まれ、かつ前記ベルト固定部から間隔をあけた状態で、前記ベルト挿通開口から遠い方の端において、前記垂直壁に対し前記基板の幅方向にのびる軸のまわりに、前記一対の垂直壁間の間隙を包囲する閉じた位置と、前記一対の垂直壁間の間隙を開放する開いた位置との間で旋回可能に取り付けられた係止部材を備え、前記係止部材の前記ベルト挿通開口から遠い方の端に、その端縁に沿って係止歯が設けられ、前記係止部材が前記開いた位置にあるとき、前記係止歯は前記基板の前記ベルト固定部に対してほぼ平行になりまたは前記ベルト固定部から逸れる向きにのび、それによって、ベルトの基端が前記基板の前記一端側から前記一対の垂直壁に沿って前記ベルト固定部に挿入可能とされる一方、前記係止部材が前記閉じた位置にあるときは、前記係止歯は前記基板の前記ベルト固定部に向かってのびて前記ベルトの基端に食い込み、それによって、前記ベルトの基端が前記係止部材および前記ベルト固定部間に挟持され、前記係止部材の前記ベルト挿通開口に近い方の端には、止めピンが、その一端において前記係止部材に対し前記係止部材の幅方向にのびる軸のまわりに旋回可能に取り付けられ、前記止めピンは、前記係止部材が前記閉じた位置にあるとき、前記係止部材から前記基板の長さ方向に前記ベルト挿通開口を横切って前記基板の他端に達する長さを有しているとともに、前記基板の前記ベルト挿通開口に通された前記ベルトの先端部の止め穴に前記止めピンが挿入可能とされたものであることを特徴とするベルト用バックルを構成したものである。
【０００８】
上記構成において、好ましくは、前記止めピンは、細長いピン本体と、前記ピン本体の基端から前記ピン本体の中心軸に対し垂直にかつ互いに反対向きに突出する一対の旋回軸と、前記ピン本体における前記旋回軸から前記ピン本体の長手方向に前記係止部材の厚みに対応する距離を隔てた位置に、前記一対の旋回軸のそれぞれに対向して設けられた一対の脱落防止突起と、からなり、前記係止部材の前記ベルト挿通開口に近い方の端は、その全長にわたって前記係止部材の長さ方向に前記基板に対向する面側に鉤状または筒状に湾曲し、この湾曲部分の内側には前記係止部材の幅方向にのびる空間が形成され、前記湾曲部分の周壁にはガイドスリットが設けられて周方向にのび、前記ガイドスリットは前記ピン本体の前記旋回軸および前記脱落防止突起間の部分に対応する幅を有していて、前記止めピンの前記旋回軸が前記湾曲部分の前記空間内に軸まわりに旋回可能に保持され、前記ピン本体が前記ガイドスリットから突出し、前記ガイドスリットは前記止めピンの旋回運動の範囲内にのび、前記脱落防止突起が前記湾曲部分の外面側において前記ピン本体から前記ガイドスリットを越えて突出している。
あるいは、前記止めピンは、細長いピン本体と、前記ピン本体の基端に設けられ、挿通穴を備えた取付部と、からなり、前記止めピンの前記挿通穴の中心における法線が前記ピン本体の軸を横切ってのび、前記係止部材は、前記ベルト挿通開口に近い方の端に前記係止部材の長さ方向に突出する延長部を有し、前記延長部は前記止めピンの前記挿通穴に対応する一定の幅を有しており、前記延長部が、前記止めピンの前記挿通穴に挿通された状態で、その長さ方向に前記基板に対向する面側に鉤状または筒状に湾曲している。
【０００９】
さらに好ましくは、前記係止部材の前記ベルト挿通開口から遠い方の端は、その全長にわたって前記係止部材の長さ方向に前記基板に対向する面側にほぼ直角に屈曲するとともに、先端縁が鋸歯状に形成され、この屈曲部が前記係止歯をなしている。
さらに好ましくは、前記係止部材は、前記屈曲部の基端の両側縁に一対の支持突起を有し、前記一対の支持突起は前記係止部材の幅方向に一直線上に並んで配置され、前記基板の前記一対の垂直壁における前記ベルト挿通開口から遠い方の端にはそれぞれ前記基板の幅方向に整合する位置に差込穴が形成され、前記係止部材は、前記支持突起が対応する前記差込穴に差し込まれることによって、前記基板の前記垂直壁に対し前記支持突起の軸のまわりに旋回可能に取り付けられている。
【考案の効果】
【００１０】
本考案によれば、基板にベルト固定部とベルト挿通開口を設け、係止部材を、ベルト固定部の一対の垂直壁間に嵌め込んだ状態で、ベルト挿通開口から遠い方の端において、垂直壁に対し旋回可能に取り付け、係止部材の前記遠い方の端に係止歯を設ける一方、係止部材のベルト挿通開口に近い方の端には止めピンを旋回可能に取り付け、係止部材の係止歯とベルト固定部との協働によってベルトの基端を挟持させるとともに、ベルト挿通開口に通されたベルトの先端部の止め穴に止めピンを挿入可能としたことで、従来のピン止め型バックルのベース部材と枠体を一体化して単一の部品とすることができ、そして、バックルの構造を従来よりも簡単にでき、それによって、バックルの製造コストを大幅に低減することができる。
【図面の簡単な説明】
【００１１】
【図１】本考案の１実施例によるベルト用バックルの分解斜視図である。
【図２】図１のベルト用バックルを組み立てた状態を示す図であり、（Ａ）は基板の一端側から見た斜視図であり、（Ｂ）は基板の他端側から見た斜視図である。
【図３】（Ａ）は、図２のベルト用バックルの、係止部材が閉じた位置にあるときの側断面図であり、（Ｂ）は、図２のベルト用バックルの、係止部材が開いた位置にあるときの側断面図であり、（Ｃ）は、図２のベルト用バックルの係止部材の止めピン取付け加工前の状態を示す平面図である。
【図４】図２のベルト用バックルの使用状態を示す図であり、（Ａ）はベルトの基端をバックルに固定する状態を示す側断面図であり、（Ｂ）および（Ｃ）はそれぞれ、ベルトの先端部の止め穴のバックルの止めピンに係止した状態を示す側断面図および斜視図である。
【図５】図１のベルト用バックルの変形例を示す図であり、（Ａ）は斜視図であり、（Ｂ）は側面図である。
【図６】係止部材および止めピンの変形例を示す図であり、（Ａ）は、係止部材の止めピン取付け加工前の状態を示す平面図であり、（Ｂ）は、止めピン取付け後の係止部材の表面側から見た斜視図であり、（Ｃ）は、止めピン取付け後の係止部材の裏面側から見た斜視図である。
【考案を実施するための形態】
【００１２】
以下、添付図面を参照して本考案の好ましい実施例について説明する。図１は、本考案の１実施例によるベルト用バックルの分解斜視図であり、図２は、図１のベルト用バックルを組み立てた状態を示す図であり、（Ａ）は基板の一端側から見た斜視図であり、（Ｂ）は基板の他端側から見た斜視図である。また、図３の（Ａ）は、図２のベルト用バックルの、係止部材が閉じた位置にあるときの側断面図であり、（Ｂ）は、図２のベルト用バックルの、係止部材が開いた位置にあるときの側断面図であり、（Ｃ）は、図２のベルト用バックルの係止部材の止めピン取付け加工前の状態を示す平面図である。
【００１３】
図１〜図３に示すように、本考案によるベルト用バックルは、長さ方向の一端１ａ側にベルト固定部２が設けられ、他端１ｂ側にはベルト挿通開口３が設けられた基板１を備えている。そして、基板１のベルト固定部２の両側縁には一対の垂直壁４ａ、４ｂが設けられている。
【００１４】
本考案によるベルト用バックルは、さらに、基板１のベルト固定部２に対応する長さおよび幅を有する板状をなし、基板１の一対の垂直壁４ａ、４ｂ間に嵌め込まれ、かつベルト固定部２から間隔をあけた状態で、ベルト挿通開口３から遠い方の端５ａにおいて、垂直壁４ａ、４ｂに対し基板１の幅方向にのびる軸のまわりに、一対の垂直壁４ａ、４ｂ間の間隙を包囲する閉じた位置（図３（Ａ）参照）と、一対の垂直壁４ａ、４ｂ間の間隙を開放する開いた位置（図３（Ｂ）参照）との間で旋回可能に取り付けられた係止部材５を備えている。
【００１５】
そして、係止部材５の端５ａには、その端縁に沿って係止歯６が設けられている。
この実施例では、係止部材５の端５ａは、その全長にわたって係止部材５の長さ方向に基板１に対向する面側にほぼ直角に屈曲するとともに、先端縁が鋸歯状に形成され、この屈曲部が係止歯６をなしている。
【００１６】
また、係止部材５は、係合歯６の基端の両側縁に一対の支持突起７ａ、７ｂを有しており、一対の支持突起７ａ、７ｂは係止部材５の幅方向に一直線上に並んで配置されている。
一方、基板１の一対の垂直壁４ａ、４ｂにおけるベルト挿通開口３から遠い方の端にはそれぞれ基板１の幅方向に整合する位置に差込穴８ａ、８ｂが形成されている。
【００１７】
そして、係止部材５は、支持突起７ａ、７ｂが対応する差込穴８ａ、８ｂに差し込まれることによって、基板１の垂直壁４ａ、４ｂに対し支持突起７ａ、７ｂの軸のまわりに旋回可能に取り付けられている。
【００１８】
こうして、図３（Ｂ）に示すように、係止部材５が開いた位置にあるとき、係止歯６は基板１のベルト固定部２に対してほぼ平行になりまたはベルト固定部２から逸れる向きにのび、それによって、ベルトの基端が基板１の一端１ａ側から一対の垂直壁４ａ、４ｂに沿ってベルト固定部２に挿入可能とされる一方、図３（Ａ）に示すように、係止部材５が閉じた位置にあるときは、係止歯６は基板１のベルト固定部２に向かってのびてベルトの基端に食い込み、それによって、ベルトの基端が係止部材５およびベルト固定部２間に挟持されるようになっている。
【００１９】
係止部材５のベルト挿通開口３に近い方の端５ｂには、止めピン９が、その一端において係止部材５に対し係止部材５の幅方向にのびる軸のまわりに旋回可能に取り付けられている。
この実施例では、止めピン９は、細長いピン本体１０と、ピン本体１０の基端からピン本体１０の中心軸に対し垂直にかつ互いに反対向きに突出する一対の旋回軸１１ａ、１１ｂと、ピン本体１０における旋回軸１１ａ、１１ｂからピン本体１０の長手方向に係止部材５の厚みに対応する距離を隔てた位置に、一対の旋回軸１１ａ、１１ｂのそれぞれに対向して設けられた一対の脱落防止突起１２ａ、１２ｂとからなっている。
【００２０】
また、係止部材５のベルト挿通開口３に近い方の端５ｂは、その全長にわたって係止部材５の長さ方向に基板１に対向する面側に鉤状または筒状に湾曲している（湾曲部分５ｃ）。そして、この湾曲部分５ｃの内側には係止部材５の幅方向にのびる空間が形成され、湾曲部分５ｃの周壁にはガイドスリット１３が設けられて周方向にのびている。ガイドスリット１３は、ピン本体１０の旋回軸１１ａ、１１ｂおよび脱落防止突起１２ａ、１２ｂ間の部分に対応する幅を有している。
【００２１】
こうして、止めピン９の旋回軸１１ａ、１１ｂが湾曲部分５ｃの空間内に軸まわりに旋回可能に保持され、ピン本体１０がガイドスリット１３から突出し、ガイドスリット１３は止めピン９の旋回運動の範囲内にのび、脱落防止突起１２ａ、１２ｂが湾曲部分５ｃの外面側においてピン本体１０からガイドスリット１３を越えて突出している。
【００２２】
この止めピン９の係止部材５への取り付けは、具体的には、図３（Ｃ）を参照して、係止部材５の係止歯６が設けられた端縁と反対側の端縁（中央）に、係止部材５の長さ方向内向きにガイドスリット１３を形成し、次いで、ガイドスリット１３内に、止めピン９のピン本体１０の旋回軸１１ａ、１１ｂおよび脱落防止突起１２ａ、１２ｂ間の部分を嵌め込み、そして、係止部材５のガイドスリット１３を挟んで両側の部分を係止部材５の長さ方向に湾曲させることによってなされる。
【００２３】
図３（Ａ）を参照して、止めピン９は、係止部材５が閉じた位置にあるとき、係止部材５から基板１の長さ方向にベルト挿通開口３を横切ってのび、その先端が基板１の他端１ｂに当接する第１の位置（図３（Ａ）の仮想線で示した位置）と、第１の位置から、ベルト挿通開口３を開く向きに起立した第２の位置（図３（Ａ）の実線で示した位置）との間で旋回し得る。
【００２４】
次に、本考案によるベルト用バックルの使用態様について説明する。
図４は、図２のベルト用バックルの使用状態を示す図であり、（Ａ）はベルトの基端をバックルに固定する状態を示す側断面図であり、（Ｂ）および（Ｃ）はそれぞれ、ベルトの先端部の止め穴のバックルの止めピンに係止した状態を示す側断面図および斜視図である。
【００２５】
まず、図４（Ａ）を参照して、係止部材５が開いた位置まで旋回せしめられ、ベルト１４の基端１４ａが、ベルト１４の裏面がベルト固定部２に対向する配置で、基板１の一端１ａ側から、基板１および係止部材５間の隙間を通って、一対の垂直壁４ａ、４ｂに沿ってベルト固定部２に挿入される。
【００２６】
次いで、図４（Ｂ）を参照して、係止部材５が閉じた位置まで旋回せしめられ、それによって、ベルト１４の基端１４ａが基板１のベルト固定部２に固定される。
そして、ベルト１８が身体の腰部等の装着対象に巻きつけられ、ベルト１４の先端部１４ｂが、基板１の係止部材５の取付け部と反対の面側から、基板１のベルト挿通開口３に挿通される。
【００２７】
さらに、ベルト１４の巻きつけ長さが調整されてベルト１８が装着対象に装着された状態で、止めピン９が第２の位置においてベルト１４の先端部１４ｂの止め穴１４ｃに挿入された後、第１の位置に保持され、それによって、ベルトが装着対象に締め付け固定される（図４（Ｃ）参照）。
【００２８】
ベルト１４の取り外しの際には、ベルト１４の先端部１４ｂのバックルからの引き出しによって止めピン９が第２の位置まで旋回せしめられることによって、止めピン９がベルト１４の止め穴１４ｃから外され、ベルト１４の先端部１４ｂがベルト挿通開口３から抜き出される。
【００２９】
こうして、本考案によれば、基板１にベルト固定部２およびベルト挿通開口３を設け、係止部材５を、ベルト固定部２の一対の垂直壁４ａ、４ｂ間に嵌め込んだ状態で、ベルト挿通開口３から遠い方の端５ａにおいて、垂直壁４ａ、４ｂに対し旋回可能に取り付け、係止部材５の前記端５ａに係止歯６を設ける一方、係止部材５のベルト挿通開口３に近い方の端５ｂには止めピン９を旋回可能に取り付け、係止部材５の係止歯６とベルト固定部２との協働によってベルト１４の基端１４ａを挟持させるとともに、ベルト挿通開口３に通されたベルト１４の先端部１４ｂの止め穴１４ｃに止めピン９を挿入可能としたことで、従来のピン止め型バックルのベース部材と枠体を一体化して単一の部品とすることができ、そして、バックルの構造を従来よりも簡単化でき、それによって、バックルの製造コストを大幅に削減することができる。
【００３０】
図１〜図４に示した実施例では、基板１における係止部材５の取付面がベルト用バックルの表面となるように構成しているが、図５に示すように、基板１における係止部材５の取付面と反対側の面をベルト用バックルの表面とする構成も可能である。
【００３１】
図２と図５を比べれば明らかなように、本考案においては、止めピン９の旋回範囲を、基板１の係止部材５の取付面側と係止部材５の取付面と反対の面側との間で変更するだけで、ベルト用バックルの表裏面を簡単に逆転させることができる。
なお、図５に示すように、基板１の係止部材５の取付面と反対の面側をベルト用バックルの表面とする場合には、基板１に止めピン９の旋回運動を確保するための切欠き１５を設ける必要がある。
【００３２】
図６は、係止部材および止めピンの変形例を示す図であり、（Ａ）は、係止部材の止めピン取付け加工前の状態を示す平面図であり、（Ｂ）は、止めピン取付け後の係止部材の表面側から見た斜視図であり、（Ｃ）は、止めピン取付け後の係止部材の裏面側から見た斜視図である。
【００３３】
図６を図１〜図４と比べれば明らかなように、図６に示した変形例では、係止部材５における基板のベルト挿通開口から遠い方の端側の構成（係止歯６、支持突起７ａ、７ｂ）は、図１〜図４に示した実施例と同じである。
一方、係止部材５における基板のベルト挿通開口に近い方の端には、係止部材５の長さ方向に突出する延長部１６が設けられている。
また、この変形例では、止めピン１７は、細長いピン本体１８と、ピン本体１８の基端に設けられた取付部１９とからなっている。取付部１９は挿通穴２０を有し、挿通穴２０の中心における法線がピン本体１８の軸を横切ってのびている。
【００３４】
係止部材５の延長部１６は止めピン１７の挿通穴２０に対応する一定の幅を有しており、延長部１６が、止めピン１７の挿通穴２０に挿通された状態で、その長さ方向に基板１に対向する面側に鉤状または筒状に湾曲し、それによって、止めピン１７が、係止部材５に対し係止部材５の幅方向にのびる軸のまわりに旋回可能に取り付けられている。
【符号の説明】
【００３５】
１  基板
１ａ  一端
１ｂ  他端
２  ベルト固定部
３  ベルト挿通開口
４ａ、４ｂ  垂直壁
５  係止部材
５ａ  ベルト挿通開口から遠い方の端
５ｂ  ベルト挿通開口に近い方の端
５ｃ  湾曲部分
６  係止歯
７ａ、７ｂ  支持突起
８ａ、８ｂ  差込穴
９  止めピン
１０  ピン本体
１１ａ、１１ｂ  旋回軸
１２ａ、１２ｂ  脱落防止用突起
１３  ガイドスリット
１４  ベルト
１４ａ  基端
１４ｂ  先端部
１４ｃ  止め穴
１５  切欠き
１６  延長部
１７  止めピン
１８  ピン本体
１９  取付部
２０  挿通穴
【図１】
0003194709.tif 000003
【図２】
0003194709.tif 000004
【図３】
0003194709.tif 000005
【図４】
0003194709.tif 000006
【図５】
0003194709.tif 000007
【図６】
0003194709.tif 000008